(57)【要約】【課題】吊荷をワイヤにて吊り下げる玉掛け作業の際、吊荷のバランス位置を簡単に調整することができるワイヤの位置決め方法と位置決め治具を提供すること。【解決手段】クレーン等のフック３により吊り下げられるワイヤ２を吊荷１に掛け渡して吊荷１を吊り下げる玉掛け作業時のワイヤの位置決め方法において、フック３と吊荷１との間で、吊荷１に掛け渡したワイヤ２の間隔をワイヤ２に掛止する位置決め治具５により調整するようにした。位置決め治具５は、ワイヤ２に掛止してワイヤの間隔を調整する掛止部材を両端に備え、両端の掛止部材はばね部材で結合した。【選択図】図１
2005314074.tif 000002
【特許請求の範囲】
【請求項１】
クレーン等のフックにより吊り下げられるワイヤを吊荷に掛け渡して吊荷を吊り下げる玉掛け作業時のワイヤの位置決め方法において、前記フックと前記吊荷との間で、前記吊荷に掛け渡したワイヤの間隔をワイヤに掛止する位置決め治具により調整することを特徴とする玉掛け作業時のワイヤの位置決め方法。
【請求項２】
前記吊荷に掛け渡したワイヤの間隔調整は、ワイヤに掛止した前記位置決め治具をフックと吊荷との間で上下移動させることにより行うことを特徴とする請求項１に記載の玉掛け作業時のワイヤの位置決め方法。
【請求項３】
クレーン等のフックにより吊り下げられるワイヤを吊荷に掛け渡して吊荷を吊り下げる玉掛け作業時のワイヤの位置決め治具において、前記フックと前記吊荷との間で、前記吊荷に掛け渡したワイヤに掛止してワイヤの間隔を調整する掛止部材を両端に備えたことを特徴とする玉掛け作業時のワイヤの位置決め治具。
【請求項４】
両端の掛止部材が、ばね部材で結合されていることを特徴とする請求項３に記載の玉掛け作業時のワイヤの位置決め治具。
【請求項５】
前記掛止部材が、Ｕ字状に形成されていることを特徴とする請求項３又は４に記載の玉掛け作業時のワイヤの位置決め治具。
【発明の詳細な説明】
【技術分野】
【０００１】
本発明は、ワイヤを掛け廻ししてロール等の各種吊荷を揚重する際、掛け廻ししたワイヤと吊荷との接触状態を調整して玉掛け作業を安全に行う方法及びその治具に関するものである。
【背景技術】
【０００２】
例えば、ロール等の製造工場ではロールの素材からロール製品まで一貫して工場内で製造されており、その際、ロールの移動はクレーンのフックに吊り下げたワイヤを介して懸垂・運搬されている。ロールの場合、２本のワイヤを使用してバランスを考慮しながらロールに掛け廻しして、各ワイヤの先端をクレーンのフックに掛止し、作業場所に移動させた後、フックを下降させて載置台に載置してロールの加工作業を行っている。
【０００３】
しかし、ロールを載置台に載置すると、ワイヤが緩んだ状態となり、ワイヤの捩じり等により、ワイヤはロール幅方向中心部でフックの下方に寄ってしまう傾向にある。したがって、ロールの加工が終了して次工程に移動する場合、ワイヤを元の位置に戻して最初の吊り下げ作業の時と同様にバランスを取ることが必要となり、面倒且つ手間が掛かるという問題があった。また、ワイヤを元の位置に戻すにはフックを下げてロールとワイヤの緊張を緩めて、作業者がワイヤを手で元の位置に戻すためワイヤとロールの間に手を挟んだりする事故が発生する危険性があった。
【０００４】
この問題を解決するため、特許文献１には、ワイヤにより吊持される吊荷を載置する載置台上に配置され上下動可能に且つ前記吊荷の下面と対向可能に支持される板体と、前記載置台と前記板体との間に介在されて当該板体を押し上げ、前記載置台上に前記吊荷を載置した際に前記ワイヤを前記吊荷の下面に押し付けるばね部材とを設けることによって、ワイヤが中心方向にずれることを防止するようにしたワイヤのセンタ寄り防止装置が開示されている。
【０００５】
また、特許文献２には、クレーンフックにワイヤを介して一対の吊りビームを吊り、これら吊りビームをワークロールの断面方向に移動可能にし、前記吊りビームに略Ｕ字形ワイヤ環の上端を掛止し、このワイヤ環でワークロールを吊るロール吊り具であって、前記ワイヤ環にワークロール等の下向き荷重が作用したときワイヤ環を縦長形状にすべくパンタグラフ機構を用いて前記吊りビームの間隔を狭めるロール吊り具が開示されている。
【特許文献１】特開昭６３−５７４８６号公報
【特許文献２】特開平７−２３２８８９号公報
【発明の開示】
【発明が解決しようとする課題】
【０００６】
上述のとおり、ロール等の製造工場ではロールの素材からロール製品まで一貫して工場内で製造されており、その際、ロールの移動はクレーンのフックに吊り下げたワイヤを介して懸垂・運搬され、所定の作業場所へ移動し、載置台に設置される。このため、上記特許文献１に開示されたワイヤのセンタ寄り防止装置を用いた場合、この装置を各作業場所の載置台に設置する必要があり、利便性に欠ける。
【０００７】
また、上記特許文献２に開示されたロール吊り具では、Ｕ字形状のワイヤ環の幅をパンタグラフ機構により変更するようにしており、このパンタグラフ機構の開閉を機械的シリンダで行っているので、構造が複雑で、ロール等にワイヤを掛け渡して玉掛けする場合、作業性が非常に悪く簡単に取り扱うことができない。
【０００８】
そこで、本発明が解決しようとする課題は、吊荷をワイヤにて吊り下げる玉掛け作業の際、吊荷のバランス位置を簡単に調整することができるワイヤの位置決め方法と位置決め治具を提供することにある。
【課題を解決するための手段】
【０００９】
上記課題を解決するため、本発明は、クレーン等のフックにより吊り下げられるワイヤを吊荷に掛け渡して吊荷を吊り下げる玉掛け作業時のワイヤの位置決め方法において、前記フックと前記吊荷との間で、前記吊荷に掛け渡したワイヤの間隔をワイヤに掛止する位置決め治具により調整することを特徴とするものである。
【００１０】
この位置決め方法において、吊荷に掛け渡したワイヤの間隔調整は、ワイヤに掛止した前記位置決め治具をフックと吊荷との間で上下移動させることにより行うことができる。
【００１１】
また、本発明は、クレーン等のフックにより吊り下げられるワイヤを吊荷に掛け渡して吊荷を吊り下げる玉掛け作業時のワイヤの位置決め治具において、前記フックと前記吊荷との間で、前記吊荷に掛け渡したワイヤに掛止してワイヤの間隔を調整する掛止部材を両端に備えたことを特徴とするものである。
【００１２】
この位置決め治具において、両端の掛止部材は、ワイヤの間隔調整を容易とするためにばね部材で結合することが好ましく、また、ワイヤから外れにくくするためにＵ字状に形成することが好ましい。
【発明の効果】
【００１３】
本発明によれば、吊荷をワイヤにて吊り下げる玉掛け作業の際、吊荷のバランス位置を簡単に調整することができ、ワイヤと吊荷の間に手を挟むような事故も発生しない。
【発明を実施するための最良の形態】
【００１４】
以下、図面に示す実施例に基づき、本発明の実施の形態を説明する。
【００１５】
図１は本発明の位置決め治具を用いたロール玉掛け作業を示す正面図、図２は図１のＡ−Ａ矢視図である。図３は本発明の位置決め治具によりワイヤの緩みを調整する方法を示し、図４は本発明の位置決め治具の詳細を示す。
【００１６】
図１に示すように、ロール玉掛け作業では、載置台４上のロール１を２本のワイヤ２より懸垂する。すなわち、１本のワイヤ２をロール１の一方側に掛け渡し、クレーンのフック３にワイヤ２を掛止する。もう１本のワイヤ２はロール１の他方側に掛け渡し、同様にフック３に掛止する。各ワイヤ２をロール１に掛け渡す位置はロール１の吊り点バランスを考慮して設定される。
【００１７】
そして、本発明では、それぞれのワイヤ２とロール１との間には本発明の位置決め治具５を配置する。位置決め治具５は、図４に示すように、その両端に掛止部材７を備えている。それぞれの掛止部材７の基端側は、ばね部材６によって連結されており、先端側はＵ字状に形成されて、ワイヤ２に掛止されるようになっている。また、ばね部材６及び掛止部材７の基端側はガイドパイプ８内に収納されて保護されている。
【００１８】
したがって、このガイドパイプ８を把持して位置決め治具５を上下に移動させることでワイヤ２の間隔を調整でき、緩みを防止することができる。また、吊荷（ロール１）のサイズが変化して、ワイヤ２の間隔が変化しても位置決め治具５に内蔵したばね部材６の伸縮により、その変化に対応できる。このように、ばね部材６を内蔵した位置決め治具５を掛け渡したワイヤ２にセットするだけで、ワイヤ２の緩みを防止でき、安全な玉掛け作業を行うことができる。
【００１９】
玉掛けする部材によってワイヤ間の幅は変化する。たとえば大径ロールを玉掛けするときのワイヤ間の距離と小径ロールを玉掛けするときのワイヤ間の距離は違う。図４に示す本発明の位置決め治具５はワイヤ間の距離Ｗが変化してもばね部材６の長さａを一定にして、掛止部材７の長さＬを変えることで対応している。これは、ばね部材６を収納するガイドパイプ８の長さを作業しやすい長さにするため、作業者が上下動させるに必要な長さがあればよい。したがってガイドパイプ８の長さは３００〜６００ｍｍ程度に設定する。
【産業上の利用可能性】
【００２０】
本発明は、ロール玉掛け作業に限らず、ワイヤを吊荷に掛け渡して行う各種の玉掛け作業に適用可能である。
【図面の簡単な説明】
【００２１】
【図１】本発明の位置決め治具を用いたロール玉掛け作業を示す正面図である。
【図２】図１のＡ−Ａ矢視図である。
【図３】本発明の位置決め治具によりワイヤの緩みを調整する方法を示す図である。
【図４】図４は本発明の位置決め治具の詳細を示す図である。
【符号の説明】
【００２２】
１  ロール
２  ワイヤ
３  フック
４  載置台
５  位置決め治具
６  ばね部材
７  掛止部材
８  ガイドパイプ
【図１】
2005314074.tif 000003
【図２】
2005314074.tif 000004
【図３】
2005314074.tif 000005
【図４】
2005314074.tif 000006